【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
第１の持続時間および前記第１の持続時間より少ない第２の持続時間の送信時間間隔（ＴＴＩ）をサポートするシステムにおけるワイヤレス通信の方法であって、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定することと、
前記ＨＡＲＱタイミングモードを使用して通信することと、
を備え、
前記通信することは、フィードバック時間期間の間に、前記第２の持続時間のＴＴＩにおけるトランスポートブロック（ＴＢ）に関連付けられた１つまたは複数のＨＡＲＱフィードバックメッセージを送信することを備え、ここにおいて、前記１つまたは複数のＨＡＲＱフィードバックメッセージは、前記第１の持続時間のＴＴＩの間に受信される、方法。
【請求項２】
前記通信することは、
第１のＴＢを第１のＴＴＩの間におよび第２のＴＢを第２のＴＴＩの間に受信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
をさらに備える、請求項１に記載の方法。
【請求項３】
前記通信することは、
第１のＴＢを第１のＴＴＩの間におよび第２のＴＢを第２のＴＴＩの間に受信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間に等しい第２のＨＡＲＱ応答時間とを備える、
をさらに備える、請求項１に記載の方法。
【請求項４】
前記第１のＴＴＩは、前記第１の持続時間を有する第１の時間期間の後期部分内にあり、前記第２のＴＴＩは、前記第１の持続時間を有する第２の時間期間の初期部分内にある、請求項３に記載の方法。
【請求項５】
前記１つまたは複数のＨＡＲＱフィードバックメッセージは、第１のＨＡＲＱフィードバックメッセージと、前記第１のＨＡＲＱフィードバックメッセージとは異なる第２のＨＡＲＱフィードバックメッセージとを備える、請求項３に記載の方法。
【請求項６】
前記第１のＨＡＲＱフィードバックメッセージの後半部分および前記第２のＨＡＲＱフィードバックメッセージの最初の部分は、
２つより多くのビットを搬送する能力がある物理アップリンク制御チャネル（ＰＵＣＣＨ）フォーマット、
前記第１のＨＡＲＱフィードバックメッセージの前記後半部分と前記第２のＨＡＲＱフィードバックメッセージの前記最初の部分との間でのビットの分割、
前記第１のＨＡＲＱフィードバックメッセージおよび前記第２のＨＡＲＱフィードバックメッセージの１つまたは複数のビットのジョイントコーディング、または、
オーソゴナルカバーコード（ＯＣＣ）に少なくとも部分的に基づいたビットと少なくとも１つのパリティビットとの組合せ、
あるいは、それらの任意の組合せ、
のうちの少なくとも１つを使用して多重化される、請求項５に記載の方法。
【請求項７】
前記ＵＥの前記１つまたは複数の能力を示すインジケーションを基地局に送信すること、
をさらに備える、請求項１に記載の方法。
【請求項８】
ＨＡＲＱタイミングモードのセットを示すインジケーションを基地局から受信することと、
前記インジケーションに応答してＨＡＲＱタイミングモード要求を送信することと、ここにおいて、前記ＨＡＲＱタイミングモードは、前記ＨＡＲＱタイミングモード要求に少なくとも部分的に基づいて前記ＨＡＲＱタイミングモードのセットから選択される、
をさらに備える、請求項１に記載の方法。
【請求項９】
前記通信することは、
第１のＴＢを第１のＴＴＩの間におよび第２のＴＢを第２のＴＴＩの間に送信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
をさらに備える、請求項１に記載の方法。
【請求項１０】
前記通信することは、
第１のＴＢを第１のＴＴＩの間におよび第２のＴＢを第２のＴＴＩの間に送信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間に等しい第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
をさらに備える、請求項１に記載の方法。
【請求項１１】
前記ＨＡＲＱタイミングモードに少なくとも部分的に基づいてアップリンク（ＵＬ）制御構成を識別することと、
前記ＵＬ制御構成を示すインジケーションを前記ＵＥに送信することと
をさらに備える、請求項１に記載の方法。
【請求項１２】
前記第１の持続時間のＴＴＩを使用するＵＬ送信のための第１の物理アップリンク制御チャネル（ＰＵＣＣＨ）リソースオフセットと、前記第２の持続時間のＴＴＩを使用するＵＬ送信のための第２のＰＵＣＣＨリソースオフセットとを識別すること
をさらに備える、請求項１に記載の方法。
【請求項１３】
前記第２のＰＵＣＣＨリソースオフセットは、前記第１のＰＵＣＣＨリソースオフセットとデルタ値とに少なくとも部分的に基づいて識別される、請求項１２に記載の方法。
【請求項１４】
前記第１のＰＵＣＣＨリソースオフセットまたは前記第２のＰＵＣＣＨリソースオフセットは、ＰＵＣＣＨフォーマットに少なくとも部分的に基づいて識別される、請求項１２に記載の方法。
【請求項１５】
ＵＬ送信のための前記１つまたは複数のリソースセットは、ＰＵＣＣＨフォーマットのセットの各ＰＵＣＣＨフォーマットに関連付けられ、前記１つまたは複数のリソースセットは各々、異なる基地局またはレイヤ３構成に関連付けられる、請求項１４に記載の方法。
【請求項１６】
前記第１の持続時間のＴＴＩに関連付けられた第１のスケジューリングされたダウンリンク（ＤＬ）送信インジケータと、前記第２の持続時間のＴＴＩに関連付けられた第２のスケジューリングされたＤＬ送信インジケータとを識別すること
をさらに備える、請求項１に記載の方法。
【請求項１７】
前記第１の持続時間は、１サブフレームの持続時間であり、前記第２の持続時間は、サブフレームの１スロットの持続時間である、請求項１に記載の方法。
【請求項１８】
ダウンリンク割当てインデックス（ＤＡＩ）を用いて前記第２の持続時間の送信のセットを示すこと
をさらに備える、請求項１に記載の方法。
【請求項１９】
前記ＨＡＲＱタイミングモードを使用して前記通信することは、共有チャネルまたは制御チャネル上で実行される、請求項１に記載の方法。
【請求項２０】
第１の持続時間および前記第１の持続時間より少ない第２の持続時間の送信時間間隔（ＴＴＩ）をサポートするシステムにおけるワイヤレス通信のための装置であって、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定するための手段と、
前記ＨＡＲＱタイミングモードを使用して通信するための手段と、
を備え、
前記通信するための手段は、フィードバック時間期間の間に、前記第２の持続時間のＴＴＩにおけるトランスポートブロック（ＴＢ）に関連付けられた１つまたは複数のＨＡＲＱフィードバックメッセージを送信するための手段を備え、ここにおいて、前記１つまたは複数のＨＡＲＱフィードバックメッセージは、前記第１の持続時間のＴＴＩの間に受信される、装置。
【請求項２１】
第１の持続時間および前記第１の持続時間より少ない第２の持続時間の送信時間間隔（ＴＴＩ）をサポートするシステムにおけるワイヤレス通信のための装置であって、
プロセッサと、
前記プロセッサと電子通信状態にあるメモリと、
前記メモリに記憶された命令と
を備え、前記命令は、前記プロセッサによって実行されると、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定することと、
フィードバック時間期間の間に、前記第２の持続時間のＴＴＩにおけるトランスポートブロック（ＴＢ）に関連付けられた１つまたは複数のＨＡＲＱフィードバックメッセージを送信することによって、前記ＨＡＲＱタイミングモードを使用して通信することと、ここにおいて、前記１つまたは複数のＨＡＲＱフィードバックメッセージは、前記第１の持続時間のＴＴＩの間に受信される、
を前記装置に行わせる、装置。
【請求項２２】
前記ＨＡＲＱタイミングモードを使用して通信することを行わせる前記命令は、
第１のＴＢを第１のＴＴＩの間におよび第２のＴＢを第２のＴＴＩの間に受信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
を行うようにさらに実行可能である、請求項２１に記載の装置。
【請求項２３】
前記ＨＡＲＱタイミングモードを使用して通信することを行わせる前記命令は、
第１のＴＢを第１のＴＴＩの間におよび第２のＴＢを第２のＴＴＩの間に受信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間に等しい第２のＨＡＲＱ応答時間とを備える、
を行うようにさらに実行可能である、請求項２１に記載の装置。
【請求項２４】
前記第１のＴＴＩは、前記第１の持続時間を有する第１の時間期間の後期部分内にあり、前記第２のＴＴＩは、前記第１の持続時間を有する第２の時間期間の初期部分内にある、請求項２３に記載の装置。
【請求項２５】
前記１つまたは複数のＨＡＲＱフィードバックメッセージは、第１のＨＡＲＱフィードバックメッセージと、前記第１のＨＡＲＱフィードバックメッセージとは異なる第２のＨＡＲＱフィードバックメッセージとを備える、請求項２３に記載の装置。
【請求項２６】
前記第１のＨＡＲＱフィードバックメッセージの後半部分および前記第２のＨＡＲＱフィードバックメッセージの最初の部分は、
２つより多くのビットを搬送する能力がある物理アップリンク制御チャネル（ＰＵＣＣＨ）フォーマット、
前記第１のＨＡＲＱフィードバックメッセージの前記後半部分と前記第２のＨＡＲＱフィードバックメッセージの前記最初の部分との間でのビットの分割、
前記第１のＨＡＲＱフィードバックメッセージおよび前記第２のＨＡＲＱフィードバックメッセージの１つまたは複数のビットのジョイントコーディング、または、
オーソゴナルカバーコード（ＯＣＣ）に少なくとも部分的に基づいたビットと少なくとも１つのパリティビットとの組合せ、
あるいは、それらの任意の組合せ、
のうちの少なくとも１つを使用して多重化される、請求項２５に記載の装置。
【請求項２７】
前記命令は、
前記ＵＥの前記１つまたは複数の能力を示すインジケーションを基地局に送信すること、
を行うように前記プロセッサによってさらに実行可能である、請求項２１に記載の装置。
【請求項２８】
前記命令は、
ＨＡＲＱタイミングモードのセットを示すインジケーションを基地局から受信することと、
前記インジケーションに応答してＨＡＲＱタイミングモード要求を送信することと、ここにおいて、前記ＨＡＲＱタイミングモードは、前記ＨＡＲＱタイミングモード要求に少なくとも部分的に基づいて前記ＨＡＲＱタイミングモードのセットから選択される、
を行うように前記プロセッサによってさらに実行可能である、請求項２１に記載の装置。
【請求項２９】
前記ＨＡＲＱタイミングモードを使用して通信することを行わせる前記命令は、
第１のＴＢを第１のＴＴＩの間におよび第２のＴＢを第２のＴＴＩの間に送信することと、ここにおいて、前記第１のＴＴＩおよび前記第２のＴＴＩは各々、前記第２の持続時間を有する、
前記ＨＡＲＱタイミングモードに少なくとも部分的に基づいて前記フィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
を行うようにさらに実行可能である、請求項２１に記載の装置。
【請求項３０】
第１の持続時間および前記第１の持続時間より少ない第２の持続時間の送信時間間隔（ＴＴＩ）をサポートするシステムにおけるワイヤレス通信のためのコードを記憶した非一時的なコンピュータ読取可能な媒体であって、前記コードは、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定することと、
フィードバック時間期間の間に、前記第２の持続時間のＴＴＩにおけるトランスポートブロック（ＴＢ）に関連付けられた１つまたは複数のＨＡＲＱフィードバックメッセージを送信することによって、前記ＨＡＲＱタイミングモードを使用して通信することと、ここにおいて、前記１つまたは複数のＨＡＲＱフィードバックメッセージは、前記第１の持続時間のＴＴＩの間に受信される、
を行うように実行可能な命令を備える、非一時的なコンピュータ読取可能な媒体。
【手続補正２】
【補正対象書類名】明細書
【補正対象項目名】０１５２
【補正方法】変更
【補正の内容】
【０１５２】
[0159]添付の図では、同様のコンポーネントまたは特徴は、同じ参照ラベルを有し得る。さらに、同じタイプの様々なコンポーネントは、参照ラベルの後に続く、ダッシュと、同様のコンポーネントを区別する第２のラベルとによって区別され得る。明細書において第１の参照ラベルだけが使用される場合、その説明は、第２の参照ラベルに関係なく、同じ第１の参照ラベルを有する同様のコンポーネントのうちの任意のものに適用可能である。
以下に本願の出願当初の特許請求の範囲に記載された発明を付記する。
［Ｃ１］
第１の持続時間および前記第１の持続時間より少ない第２の持続時間の送信時間間隔（ＴＴＩ）をサポートするシステムにおけるワイヤレス通信の方法であって、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定することと、
前記ＨＡＲＱタイミングモードを使用して通信することと
を備える方法。
［Ｃ２］
前記通信することは、
第１のトランスポートブロック（ＴＢ）を第１のＴＴＩの間におよび第２のＴＢを第２のＴＴＩの間に受信することと、ここにおいて、前記第１のＴＴＩおよび前記第２のＴＴＩは各々、前記第２の持続時間を有する、
前記ＨＡＲＱタイミングモードに少なくとも部分的に基づいてフィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを送信することと、ここにおいて、前記１つまたは複数のＨＡＲＱフィードバックメッセージは、前記第１の持続時間のＴＴＩの間に受信される、
を備える、Ｃ１に記載の方法。
［Ｃ３］
前記通信することは、
第１のトランスポートブロック（ＴＢ）を第１のＴＴＩの間におよび第２のＴＢを第２のＴＴＩの間に受信することと、ここにおいて、前記第１のＴＴＩおよび前記第２のＴＴＩは各々、前記第２の持続時間を有する、
前記ＨＡＲＱタイミングモードに少なくとも部分的に基づいてフィードバック時間期間を識別することと、ここにおいて、前記ＨＡＲＱタイミングモードは、第１のＨＡＲＱ応答時間と、前記第１のＨＡＲＱ応答時間に等しい第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを送信することと、ここにおいて、前記１つまたは複数のＨＡＲＱフィードバックメッセージは、前記第１の持続時間のＴＴＩの間に受信される、
を備える、Ｃ１に記載の方法。
［Ｃ４］
前記第１のＴＴＩは、前記第１の持続時間を有する第１の時間期間の後期部分内にあり、前記第２のＴＴＩは、前記第１の持続時間を有する第２の時間期間の初期部分内にある、Ｃ３に記載の方法。
［Ｃ５］
前記１つまたは複数のＨＡＲＱフィードバックメッセージは、第１のＨＡＲＱフィードバックメッセージと、前記第１のＨＡＲＱフィードバックメッセージとは異なる第２のＨＡＲＱフィードバックメッセージとを備える、Ｃ３に記載の方法。
［Ｃ６］
前記第１のＨＡＲＱフィードバックメッセージの後半部分および前記第２のＨＡＲＱフィードバックメッセージの最初の部分は、
２つより多くのビットを搬送する能力がある物理アップリンク制御チャネル（ＰＵＣＣＨ）フォーマット、
前記第１のＨＡＲＱフィードバックメッセージの前記後半部分と前記第２のＨＡＲＱフィードバックメッセージの前記最初の部分との間でのビットの分割、
前記第１のＨＡＲＱフィードバックメッセージおよび前記第２のＨＡＲＱフィードバックメッセージの１つまたは複数のビットのジョイントコーディング、または、
オーソゴナルカバーコード（ＯＣＣ）に少なくとも部分的に基づいたビットと少なくとも１つのパリティビットとの組合せ、
あるいは、それらの任意の組合せ、
のうちの少なくとも１つを使用して多重化される、Ｃ５に記載の方法。
［Ｃ７］
前記ＵＥの前記１つまたは複数の能力を示すインジケーションを基地局に送信すること
をさらに備える、Ｃ１に記載の方法。
［Ｃ８］
ＨＡＲＱタイミングモードのセットを示すインジケーションを基地局から受信することと、
前記インジケーションに応答してＨＡＲＱタイミングモード要求を送信することと、ここにおいて、前記ＨＡＲＱタイミングモードは、前記ＨＡＲＱタイミングモード要求に少なくとも部分的に基づいて前記ＨＡＲＱタイミングモードのセットから選択される、
をさらに備える、Ｃ１に記載の方法。
［Ｃ９］
前記通信することは、
第１のトランスポートブロック（ＴＢ）を第１のＴＴＩの間におよび第２のＴＢを第２のＴＴＩの間に送信することと、ここにおいて、前記第１のＴＴＩおよび前記第２のＴＴＩは各々、前記第２の持続時間を有する、
前記ＨＡＲＱタイミングモードに少なくとも部分的に基づいてフィードバック時間期間を識別することと、ここにおいて、前記ＨＡＲＱタイミングモードは、第１のＨＡＲＱ応答時間と、前記第１のＨＡＲＱ応答時間より少ない第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
を備える、Ｃ１に記載の方法。
［Ｃ１０］
前記通信することは、
第１のトランスポートブロック（ＴＢ）を第１のＴＴＩの間におよび第２のＴＢを第２のＴＴＩの間に送信することと、ここにおいて、前記第１のＴＴＩおよび前記第２のＴＴＩは各々、前記第２の持続時間を有する、
前記ＨＡＲＱタイミングモードに少なくとも部分的に基づいてフィードバック時間期間を識別することと、ここにおいて、前記ＨＡＲＱタイミングモードは、第１のＨＡＲＱ応答時間と、前記第１のＨＡＲＱ応答時間に等しい第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを受信することと、ここにおいて、前記１つまたは複数のＨＡＲＱフィードバックメッセージは、前記第１の持続時間のＴＴＩの間に受信される、
を備える、Ｃ１に記載の方法。
［Ｃ１１］
前記ＨＡＲＱタイミングモードに少なくとも部分的に基づいてアップリンク（ＵＬ）制御構成を識別することと、
前記ＵＬ制御構成を示すインジケーションを前記ＵＥに送信することと
をさらに備える、Ｃ１に記載の方法。
［Ｃ１２］
前記第１の持続時間のＴＴＩを使用するＵＬ送信のための第１の物理アップリンク制御チャネル（ＰＵＣＣＨ）リソースオフセットと、前記第２の持続時間のＴＴＩを使用するＵＬ送信のための第２のＰＵＣＣＨリソースオフセットとを識別すること
をさらに備える、Ｃ１に記載の方法。
［Ｃ１３］
前記第２のＰＵＣＣＨリソースオフセットは、前記第１のＰＵＣＣＨリソースオフセットとデルタ値とに少なくとも部分的に基づいて識別される、Ｃ１２に記載の方法。
［Ｃ１４］
前記第１のＰＵＣＣＨリソースオフセットまたは前記第２のＰＵＣＣＨリソースオフセットは、ＰＵＣＣＨフォーマットに少なくとも部分的に基づいて識別される、Ｃ１２に記載の方法。
［Ｃ１５］
ＵＬ送信のための前記１つまたは複数のリソースセットは、ＰＵＣＣＨフォーマットのセットの各ＰＵＣＣＨフォーマットに関連付けられ、前記１つまたは複数のリソースセットは各々、異なる基地局またはレイヤ３構成に関連付けられる、Ｃ１４に記載の方法。
［Ｃ１６］
前記第１の持続時間のＴＴＩに関連付けられた第１のスケジューリングされたダウンリンク（ＤＬ）送信インジケータと、前記第２の持続時間のＴＴＩに関連付けられた第２のスケジューリングされたＤＬ送信インジケータとを識別すること
をさらに備える、Ｃ１に記載の方法。
［Ｃ１７］
前記第１の持続時間は、１サブフレームの持続時間であり、前記第２の持続時間は、サブフレームの１スロットの持続時間である、Ｃ１に記載の方法。
［Ｃ１８］
ダウンリンク割当てインデックス（ＤＡＩ）を用いて前記第２の持続時間の送信のセットを示すこと
をさらに備える、Ｃ１に記載の方法。
［Ｃ１９］
前記ＨＡＲＱタイミングモードを使用して前記通信することは、共有チャネルまたは制御チャネル上で実行される、Ｃ１に記載の方法。
［Ｃ２０］
第１の持続時間および前記第１の持続時間より少ない第２の持続時間の送信時間間隔（ＴＴＩ）をサポートするシステムにおけるワイヤレス通信のための装置であって、
プロセッサと、
前記プロセッサと電子通信状態にあるメモリと、
前記メモリに記憶された命令と
を備え、前記命令は、前記プロセッサによって実行されると、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定することと、
前記ＨＡＲＱタイミングモードを使用して通信することと
を前記装置に行わせる、装置。
［Ｃ２１］
第１の持続時間および前記第１の持続時間より少ない第２の持続時間の送信時間間隔（ＴＴＩ）をサポートするシステムにおけるワイヤレス通信のための装置であって、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定するための手段と、
前記ＨＡＲＱタイミングモードを使用して通信するための手段と
を備える装置。
［Ｃ２２］
第１のトランスポートブロック（ＴＢ）を第１のＴＴＩの間におよび第２のＴＢを第２のＴＴＩの間に受信するための手段と、ここにおいて、前記第１のＴＴＩおよび前記第２のＴＴＩは各々、前記第２の持続時間を有する、
前記ＨＡＲＱタイミングモードに少なくとも部分的に基づいてフィードバック時間期間を識別するための手段と、ここにおいて、前記ＨＡＲＱタイミングモードは、第１のＨＡＲＱ応答時間と、前記第１のＨＡＲＱ応答時間より少ない第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを送信するための手段と、ここにおいて、前記１つまたは複数のＨＡＲＱフィードバックメッセージは、前記第１の持続時間のＴＴＩの間に受信可能である、
をさらに備える、Ｃ２１に記載の装置。
［Ｃ２３］
第１のトランスポートブロック（ＴＢ）を第１のＴＴＩの間におよび第２のＴＢを第２のＴＴＩの間に受信するための手段と、ここにおいて、前記第１のＴＴＩおよび前記第２のＴＴＩは各々、前記第２の持続時間を有する、
前記ＨＡＲＱタイミングモードに少なくとも部分的に基づいてフィードバック時間期間を識別するための手段と、ここにおいて、前記ＨＡＲＱタイミングモードは、第１のＨＡＲＱ応答時間と、前記第１のＨＡＲＱ応答時間に等しい第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを送信するための手段と、ここにおいて、前記１つまたは複数のＨＡＲＱフィードバックメッセージは、前記第１の持続時間のＴＴＩの間に受信可能である、
をさらに備える、Ｃ２１に記載の装置。
［Ｃ２４］
前記第１のＴＴＩは、前記第１の持続時間を有する第１の時間期間の後期部分内にあり、前記第２のＴＴＩは、前記第１の持続時間を有する第２の時間期間の初期部分内にある、Ｃ２３に記載の装置。
［Ｃ２５］
前記１つまたは複数のＨＡＲＱフィードバックメッセージは、第１のＨＡＲＱフィードバックメッセージと、前記第１のＨＡＲＱフィードバックメッセージとは異なる第２のＨＡＲＱフィードバックメッセージとを備える、Ｃ２３に記載の装置。
［Ｃ２６］
前記第１のＨＡＲＱフィードバックメッセージの後半部分および前記第２のＨＡＲＱフィードバックメッセージの最初の部分は、
２つより多くのビットを搬送する能力がある物理アップリンク制御チャネル（ＰＵＣＣＨ）フォーマット、
前記第１のＨＡＲＱフィードバックメッセージの前記後半部分と前記第２のＨＡＲＱフィードバックメッセージの前記最初の部分との間でのビットの分割、
前記第１のＨＡＲＱフィードバックメッセージおよび前記第２のＨＡＲＱフィードバックメッセージの１つまたは複数のビットのジョイントコーディング、または、
オーソゴナルカバーコード（ＯＣＣ）に少なくとも部分的に基づいたビットと少なくとも１つのパリティビットとの組合せ、
あるいは、それらの任意の組合せ、
のうちの少なくとも１つを使用して多重化される、Ｃ２５に記載の装置。
［Ｃ２７］
前記ＵＥの前記１つまたは複数の能力を示すインジケーションを基地局に送信するための手段
をさらに備える、Ｃ２１に記載の装置。
［Ｃ２８］
ＨＡＲＱタイミングモードのセットを示すインジケーションを基地局から受信するための手段と、
前記インジケーションに応答してＨＡＲＱタイミングモード要求を送信するための手段と、ここにおいて、前記ＨＡＲＱタイミングモードは、前記ＨＡＲＱタイミングモード要求に少なくとも部分的に基づいて前記ＨＡＲＱタイミングモードのセットから選択される、
をさらに備える、Ｃ２１に記載の装置。
［Ｃ２９］
第１のトランスポートブロック（ＴＢ）を第１のＴＴＩの間におよび第２のＴＢを第２のＴＴＩの間に送信するための手段と、ここにおいて、前記第１のＴＴＩおよび前記第２のＴＴＩは各々、前記第２の持続時間を有する、
前記ＨＡＲＱタイミングモードに少なくとも部分的に基づいてフィードバック時間期間を識別するための手段と、ここにおいて、前記ＨＡＲＱタイミングモードは、第１のＨＡＲＱ応答時間と、前記第１のＨＡＲＱ応答時間より少ない第２のＨＡＲＱ応答時間とを備える、
前記フィードバック時間期間の間に、前記第１のＴＢまたは前記第２のＴＢに関連付けられた１つまたは複数のＨＡＲＱフィードバックメッセージを受信するための手段と、ここにおいて、前記１つまたは複数のＨＡＲＱフィードバックメッセージは、前記第１の持続時間のＴＴＩの間に受信可能である、
をさらに備える、Ｃ２１に記載の装置。
［Ｃ３０］
第１の持続時間および前記第１の持続時間より少ない第２の持続時間の送信時間間隔（ＴＴＩ）をサポートするシステムにおけるワイヤレス通信のためのコードを記憶した非一時的なコンピュータ読取可能な媒体であって、前記コードは、
前記第２の持続時間のＴＴＩを使用した通信に応答してハイブリッド自動再送要求（ＨＡＲＱ）フィードバックを提供するユーザ機器（ＵＥ）の１つまたは複数の能力に少なくとも部分的に基づいてＨＡＲＱタイミングモードを決定することと、
前記ＨＡＲＱタイミングモードを使用して通信することと
を行うように実行可能な命令を備える、非一時的なコンピュータ読取可能な媒体。